【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
骨内器具に結合されるように構成された駆動シャフト；
電源に結合され、かつマルチギヤ駆動システムによって前記駆動シャフトにさらに結合されたモータ；および
前記モータに結合され、かつ前記駆動シャフトを動かすために前記モータを作動させるように構成されたトリガ
を含む駆動装置であって、
前記マルチギヤ駆動システムが、前記駆動シャフトの揺動回転を生じるように構成されており、かつ、第一のギヤを含み、
前記第一のギヤは、
第一のボアであって、前記モータが、前記第一のギヤを回転させるために前記第一のボアを通って延びるように構成されている、第一のボア；
前記第一のボアから半径方向外向きに延びる第一の表面；
前記第一のギヤの外縁から半径方向内向きに延びる第二の表面；および
前記第一および第二の表面の間の、前記第一および第二の表面に比べて凹んでいて内側壁および外側壁を形成している第三の表面であって、前記内側壁の一部分が第一の複数の歯を含み、前記外側壁の一部分が第二の複数の歯を含む、第三の表面
を備えたものである、
駆動装置。
【請求項２】
前記マルチギヤ駆動システムがさらに：
前記第三の表面に隣接して前記内側壁と前記外側壁との間に配置された、第二のギヤであって：
前記内側壁の前記第一の複数の歯および前記外側壁の前記第二の複数の歯と噛み合うように構成された、第三の複数の歯；および
第二のボアであって、前記第二のギヤが前記駆動シャフトを回転させ得るように前記駆動シャフトが前記第二のボアを通って延びるように構成されている、第二のボア
を備えた第二のギヤを含む、請求項1記載の駆動装置。
【請求項３】
前記内側壁の前記第一の複数の歯および前記外側壁の前記第二の複数の歯が、前記第二のギヤの前記第三の複数の歯に、異なる期間に噛み合う、請求項2記載の駆動装置。
【請求項４】
前記外側壁の前記第二の複数の歯が前記第二のギヤの前記第三の複数の歯に噛み合ったときとは異なる方向に前記第二のギヤが回転するように、前記内側壁の前記第一の複数の歯が前記第二のギヤの前記第三の複数の歯に噛み合うように構成されている、請求項3記載の駆動装置。
【請求項５】
前記内側壁が、前記第一および第三の表面に実質的に垂直である、請求項1〜4のいずれか一項記載の駆動装置。
【請求項６】
前記外側壁が、前記第二および第三の表面に実質的に垂直である、請求項1〜5のいずれか一項記載の駆動装置。
【請求項７】
前記内側壁が、前記第三の表面から前記第一の表面まで延びる第一の高さを含み、かつ前記外側壁が、前記第三の表面から前記第二の表面まで延びる第二の高さを含む、請求項1〜6のいずれか一項記載の駆動装置。
【請求項８】
前記内側壁の前記第一の高さが前記外側壁の前記第二の高さと実質的に等しい、請求項7記載の駆動装置。
【請求項９】
骨内器具に結合されるように構成された駆動シャフト；
電源に結合され、かつマルチギヤ駆動システムによって前記駆動シャフトにさらに結合されたモータであって、前記マルチギヤ駆動システムの少なくとも一つのギヤに対して固定された関係で結合されている、モータ；および
前記モータに結合され、かつ前記駆動シャフトを動かすために前記モータを作動させるように構成されたトリガ
を含む駆動装置であって、
前記マルチギヤ駆動システムが、前記駆動シャフトの揺動回転を生じるように構成されており、かつ、
第一のギヤ；および
第二のギヤ
を含み、
前記第一のギヤの少なくとも二つの別々の表面が、前記第二のギヤの表面と係合する、
駆動装置。
【請求項１０】
前記モータが前記第一のギヤに結合されており、前記駆動シャフトが前記第二のギヤに結合されている、請求項9記載の駆動装置。
【手続補正２】
【補正対象書類名】明細書
【補正対象項目名】００１９
【補正方法】変更
【補正の内容】
【００１９】
[本発明1001]
骨内器具に結合されるように構成された駆動シャフト；
電源に結合され、かつ非ギヤ式軸外し駆動システムによって前記駆動シャフトにさらに結合されたモータ；および
前記モータに結合され、かつ前記駆動シャフトを動かすために前記モータを作動させるように構成されたトリガ；
を含む駆動装置であって、
前記非ギヤ式軸外し駆動システムが、前記駆動シャフトの揺動回転を生じるように構成されている、駆動装置。
[本発明1002]
前記非ギヤ式軸外し駆動システムが：
第一の軸が貫通する中心点；および
前記第一の軸とは異なる第二の軸が貫通する中心点を有するボア
を有するカムであって、前記モータが前記カムを前記第二の軸回りで回転させ得るように、前記モータの少なくとも一部分が前記第二の軸に沿って前記ボアを通って延びるように構成されている、カム；ならびに、
前記カムに結合され、かつ前記駆動シャフトにさらに結合された、前記カムから前記駆動シャフトへと動きを移転するように構成された連係器具
を含む、本発明1001の駆動装置。
[本発明1003]
駆動装置ハウジング；および
前記駆動装置ハウジングに結合されたベアリング
をさらに含み、前記駆動シャフトが前記ハウジングに接触することなく動くことを可能とするように、前記駆動シャフトが前記ベアリングを通って延びる、本発明1002の駆動装置。
[本発明1004]
前記モータが：
前記第二の軸に沿って前記カムの前記ボアを通って延びるように構成されたモータシャフト
を含む、本発明1002の駆動装置。
[本発明1005]
前記モータシャフトが、前記カムに結合されている、本発明1002の駆動装置。
[本発明1006]
前記モータが前記カムを回転させるとき、前記連係器具が、前記カムの外面の少なくとも一部分に接触する、本発明1002の駆動装置。
[本発明1007]
前記モータが前記カムを回転させるとき、前記連係器具が、前記駆動シャフトの外面の少なくとも一部分に接触する、本発明1002の駆動装置。
[本発明1008]
前記連係器具が前記駆動シャフトに結合されており、かつ前記駆動シャフトに結合されている前記連係器具の一部分に対して前記駆動シャフトが固定された関係で動くように、前記連係器具が前記駆動シャフトに結合されている、本発明1002の駆動装置。
[本発明1009]
前記駆動シャフトの揺動回転の範囲が30度以下である、本発明1002の駆動装置。
[本発明1010]
前記電源がバッテリを含む、本発明1001の駆動装置。
[本発明1011]
前記駆動シャフトに結合されるように構成された骨内器具
をさらに含む、本発明1002の駆動装置。
[本発明1012]
前記骨内器具が：
標的領域を貫くように構成された少なくとも一つの切断面を含むカニューレ第一端と、カニューレ第二端と、前記カニューレ第一端と前記カニューレ第二端との間に延びるカニューレボアとを有するカニューレ
を含む、本発明1011の駆動装置。
[本発明1013]
前記カニューレ第一端が：
隣接する頂部との間に少なくとも一つの切断面を有する複数の頂部
を含み、前記頂部および前記切断面が前記標的領域を貫くように構成されている、本発明1012の駆動。
[本発明1014]
前記カニューレが：
前記カニューレ第二端に結合され、かつ前記駆動シャフトに結合されるように構成された第一のハブ
をさらに含む、本発明1012の駆動装置。
[本発明1015]
前記第一のハブが：
前記カニューレが前記標的領域を貫き得る深さを制限するように構成された深度制限器
を含む、本発明1014の駆動装置。
[本発明1016]
前記カニューレボア中に配置されるように構成されたスタイレット
をさらに含み、そのため、前記スタイレットの第一端が前記カニューレ第一端と協働して、前記標的領域を貫くための先端を画定する、本発明1014の駆動装置。
[本発明1017]
前記スタイレットの前記第一端および前記カニューレ第一端が協働して切断面を形成するように、前記スタイレットが、前記カニューレ中に配置されるように構成されている、本発明1016の駆動装置。
[本発明1018]
前記切断面が、実質的に平面状である、本発明1017の駆動装置。
[本発明1019]
前記スタイレットの前記第一端が：
少なくとも一つの先端；
前記少なくとも一つの先端から第一の長さだけ延びた、第一のテーパの付いた切断面；および
前記少なくとも一つの先端から第二の長さだけ延びた、第二のテーパの付いた切断面
を含み、前記第一のテーパの付いた切断面の前記第一の長さが、前記第二のテーパの付いた切断面の前記第二の長さ未満である、本発明1016の駆動装置。
[本発明1020]
前記スタイレットの第二端に結合され、かつ前記第一のハブに解放可能に結合されるようにさらに構成された第二のハブ
をさらに含む、本発明1016の駆動装置。
[本発明1021]
前記第二のハブが、前記第一のハブにルアーロック取付具によって結合されるように構成されている、本発明1020の駆動装置。
[本発明1022]
前記第一のハブおよび前記第二のハブの少なくとも一つに結合されるように構成された第一端と、前記駆動シャフトに結合されるように構成された第二端とを有するカプラ
をさらに含む、本発明1020のいずれかの駆動装置。
[本発明1023]
前記カプラが、前記カニューレおよび前記スタイレットの少なくとも一つが前記標的領域を貫き得る深さを制限するように構成された深度制限器を含む、本発明1022の駆動装置。
[本発明1024]
本発明1001〜1023のいずれかの駆動装置；および
前記駆動装置に結合されるように構成された骨内器具
を含むキット。
[本発明1025]
前記骨内器具がカニューレおよびスタイレットの少なくとも一つを含む、本発明1024のキット。
[本発明1026]
前記骨内器具に結合されるように構成された第一端と、前記駆動装置に結合されるように構成された第二端とを有するカプラ
をさらに含む、本発明1024のキット。
[本発明1027]
前記標的領域、前記カニューレ、および前記スタイレットの少なくとも一つが脱滅菌化（desterilization）されることを防ぐために、前記駆動装置を受けるように構成された収納袋
をさらに含む、本発明1025のキット。
[本発明1028]
少なくとも一つの鋭利物保護器
をさらに含み、切断面が露出することを防ぐために、前記カニューレおよび前記スタイレットの少なくとも一つが前記鋭利物保護器内に配置され得るように前記鋭利物保護器が構成されている、本発明1025のキット。
[本発明1029]
骨内器具に結合されるように構成された駆動シャフト；
電源に結合され、かつマルチギヤ駆動システムによって前記駆動シャフトにさらに結合されたモータであって、前記マルチギヤ駆動システムの少なくとも一つのギヤに対して固定された関係で結合されている、モータ；および
前記モータに結合され、かつ前記駆動シャフトを動かすために前記モータを作動させるように構成されたトリガ
を含む駆動装置であって、
前記マルチギヤ駆動システムが、前記駆動シャフトの揺動回転を生じるように構成されている、駆動装置。
[本発明1030]
前記マルチギヤ駆動システムが：
第一のギヤ；および
第二のギヤ
を含み、
前記第一のギヤが：
第一のボアであって、前記モータが、前記第一のギヤを回転させるために前記第一のボアを通って延びるように構成されている、第一のボア；
前記第一のボアから半径方向外向きに延びる第一の表面；
前記第一のギヤの外縁から半径方向内向きに延びる第二の表面；および
前記第一および第二の表面の間の、前記第一および第二の表面に比べて凹んでいて内側壁および外側壁を形成している第三の表面であって、前記内側および外側壁の少なくとも一部分が複数の歯を含む、第三の表面
を含み、
前記第二のギヤが前記第三の表面に隣接して、かつ前記内側壁と前記外側壁との間に配置されており、前記第二のギヤが：
前記内側および外側壁の前記歯と噛み合うように構成された複数の歯；および
第二のボアであって、前記第二のギヤが前記駆動シャフトを回転させ得るように前記駆動シャフトが前記第二のボアを通って延びるように構成されている、第二のボア
を含む、本発明1029の駆動装置。
[本発明1031]
前記内側壁の前記歯および前記外側壁の前記歯が、前記第二のギヤの前記歯に、異なる期間に噛み合う、本発明1030の駆動装置。
[本発明1032]
前記外側壁の前記歯が前記第二のギヤの前記歯に噛み合ったときとは異なる方向に前記第二のギヤが回転するように、前記内側壁の前記歯が前記第二のギヤの前記歯に噛み合うように構成されている、本発明1031の駆動装置。
[本発明1033]
前記内側壁が、前記第一および第三の表面に実質的に垂直である、本発明1030の駆動装置。
[本発明1034]
前記外側壁が、前記第二および第三の表面に実質的に垂直である、本発明1030の駆動装置。
[本発明1035]
前記内側壁が、前記第三の表面から前記第一の表面へと延びる第一の高さを含み、かつ前記外側壁が、前記第三の表面から前記第二の表面へと延びる第二の高さを含む、本発明1029の駆動装置。
[本発明1036]
前記内側壁の前記第一の高さが前記外側壁の前記第二の高さと実質的に等しく、前記内側壁の前記第一の高さと前記外側壁の前記第二の高さとが実質的に同じである、本発明1035の駆動装置。
[本発明1037]
前記駆動シャフトが、前記第二のギヤに結合されている、本発明1030の駆動装置。
[本発明1038]
前記モータが、前記第一のギヤに結合されている、本発明1030の駆動装置。
[本発明1039]
前記モータが：
前記第一のギヤを回転させるために、前記第一のギヤの前記第一のボアを通って延びるように構成されたモータシャフト
を含む、本発明1030の駆動装置。
[本発明1040]
前記モータシャフトが、前記第一のギヤに結合されている、本発明1039の駆動装置。
[本発明1041]
前記駆動シャフトの揺動回転の範囲が30度以下である、本発明1030の駆動装置。
[本発明1042]
前記電源がバッテリを含む、本発明1029の駆動装置。
[本発明1043]
前記駆動シャフトに結合されるように構成された骨内器具
をさらに含む、本発明1029の駆動装置。
[本発明1044]
前記骨内器具が：
標的領域を貫くように構成された少なくとも一つの切断面を含むカニューレ第一端と、カニューレ第二端と、前記カニューレ第一端と前記カニューレ第二端との間に延びるカニューレボアとを有するカニューレ
を含む、本発明1043の駆動装置。
[本発明1045]
前記カニューレ第一端が：
隣接する頂部との間に少なくとも一つの切断面を有する複数の頂部
を含み、前記頂部および前記切断面が前記標的領域を貫くように構成されている、本発明1044の駆動。
[本発明1046]
前記カニューレが：
前記カニューレ第二端に結合され、かつ前記駆動シャフトに結合されるように構成された第一のハブ
をさらに含む、本発明1045の駆動装置。
[本発明1047]
前記第一のハブが：
前記カニューレが前記標的領域を貫き得る深さを制限するように構成された深度制限器
を含む、本発明1046の駆動装置。
[本発明1048]
前記カニューレボア中に配置されるように構成されたスタイレット
をさらに含み、そのため、前記スタイレットの第一端が前記カニューレ第一端と協働して、前記標的領域を貫くための先端を画定する、本発明1046の駆動装置。
[本発明1049]
前記スタイレットの前記第一端および前記カニューレ第一端が協働して切断面を形成するように、前記スタイレットが、前記カニューレ中に配置されるように構成されている、本発明1048の駆動装置。
[本発明1050]
前記切断面が、実質的に平面状である、本発明1049の駆動装置。
[本発明1051]
前記スタイレットの前記第一端が：
少なくとも一つの先端；
前記少なくとも一つの先端から第一の長さだけ延びた、第一のテーパの付いた切断面；および
前記少なくとも一つの先端から第二の長さだけ延びた、第二のテーパの付いた切断面
を含み、前記第一のテーパの付いた切断面の前記第一の長さが、前記第二のテーパの付いた切断面の前記第二の長さ未満である、本発明1048の駆動装置。
[本発明1052]
前記スタイレットの第二端に結合され、かつ前記第一のハブに解放可能に結合されるようにさらに構成された第二のハブ
をさらに含む、本発明1048の駆動装置。
[本発明1053]
前記第二のハブが、前記第一のハブにルアーロック取付具によって結合されるように構成されている、本発明1052の駆動装置。
[本発明1054]
前記第一のハブおよび前記第二のハブの少なくとも一つに結合されるように構成された第一端と、前記駆動シャフトに結合されるように構成された第二端とを有するカプラ
をさらに含む、本発明1052のいずれかの駆動装置。
[本発明1055]
前記カプラが、前記カニューレおよび前記スタイレットの少なくとも一つが前記標的領域を貫き得る深さを制限するように構成された深度制限器を含む、本発明1054の駆動装置。
[本発明1056]
本発明1029〜1055のいずれかの駆動装置；および
前記駆動装置に結合されるように構成された骨内器具
を含むキット。
[本発明1057]
前記骨内器具がカニューレおよびスタイレットの少なくとも一つを含む、本発明1056のキット。
[本発明1058]
前記骨内器具に結合されるように構成された第一端と、前記駆動装置に結合されるように構成された第二端とを有するカプラ
をさらに含む、本発明1057のキット。
[本発明1059]
前記標的領域、前記カニューレ、および前記スタイレットの少なくとも一つが脱滅菌化されることを防ぐために、前記駆動装置を受けるように構成された収納袋
をさらに含む、本発明1057のキット。
[本発明1060]
少なくとも一つの鋭利物保護器
をさらに含み、切断面が露出することを防ぐために、前記カニューレおよび前記スタイレットの少なくとも一つが前記鋭利物保護器内に配置され得るように前記鋭利物保護器が構成されている、本発明1057のキット。
[本発明1061]
骨内器具に結合されるように構成された駆動シャフト；
前記駆動シャフトに結合されたモータアセンブリであって、ガスがモータアセンブリに入ったときに前記駆動シャフトを動かすように構成された、モータアセンブリ；および
用いられたときに前記ガスを前記モータアセンブリの中に放出するように構成されたトリガ
を含む駆動装置。
[本発明1062]
前記モータアセンブリが：
第一端、第二端、および前記第一端と前記第二端との間に少なくとも部分的にチャンバを画定する内側壁を有する回転子ハウジングであって、前記ガスが通って前記モータアセンブリに入り得る開口部を有する、回転子ハウジング；
前記回転子ハウジングの前記チャンバの中に配置され、かつ前記駆動シャフトに結合された回転子であって、第一端、第二端、および前記第一端と前記第二端との間に少なくとも部分的に延びる複数の半径方向スロットを有する、回転子；および
前記複数の半径方向スロットの中に少なくとも部分的に配置され、かつ前記回転子に結合された複数の羽根であって、前記ガスが前記モータアセンブリに入ったときに前記ガスが複数の羽根の少なくとも一部分に力を適用して前記回転子を動かすように構成された、複数の羽根
を含む、本発明1061の駆動装置。
[本発明1063]
前記複数の羽根が、ばねによって前記回転子に結合されている、本発明1062の駆動装置。
[本発明1064]
前記ばねが、前記複数の羽根の各羽根を、前記回転子から離れる方向に付勢する、本発明1063の駆動装置。
[本発明1065]
前記回転子ハウジング、前記回転子、および前記複数の羽根が協働して、前記チャンバに対して長手方向に延びる複数のサブチャンバを形成し、前記複数のサブチャンバが体積において異なっており、前記ガスが前記モータアセンブリに入ったときに圧力勾配を生じる、本発明1064の駆動装置。
[本発明1066]
前記複数の羽根が、前記回転子ハウジングに接触して前記複数のサブチャンバを形成する、本発明1065の駆動装置。
[本発明1067]
前記回転子ハウジングが、前記ガスが前記モータアセンブリから出ることを可能とするように構成された排気孔を含む、本発明1062の駆動装置。
[本発明1068]
前記回転子に関して前記駆動シャフトのトルクを増加させかつ回転速度を減少させるように構成されたギヤアセンブリによって、前記回転子が前記駆動シャフトに結合されている、本発明1062の駆動装置。
[本発明1069]
前記ギヤアセンブリが：
内側ギヤであって、回転子が内側ギヤを回転させることを可能とするように前記回転子に結合された、内側ギヤ；
外側ギヤであって、外側ギヤが前記駆動シャフトを回転させることを可能とするように前記駆動シャフトに結合された、外側ギヤ；および
前記内側ギヤおよび外側ギヤに結合された複数の遊星ギヤであって、前記内側ギヤから前記外側ギヤへと回転運動を移転させるように構成された、複数の遊星ギヤ
を含む、本発明1068の駆動装置。
[本発明1070]
前記内側ギヤが第一の直径を含み、前記外側ギヤが第二の直径を含み、かつ前記第二の直径が前記第一の直径よりも大きい、本発明1069の駆動装置。
[本発明1071]
前記内側ギヤが、前記外側ギヤと同心である、本発明1070の駆動装置。
[本発明1072]
前記遊星ギヤが、回転運動を前記外側ギヤへと移転させるために、前記内側ギヤの周りで回転する、本発明1071の駆動装置。
[本発明1073]
ガスを含む容器を受けるように構成された開口部を有するハンドルを有するハウジング
をさらに含む、本発明1061の駆動装置。
[本発明1074]
前記ハンドルが、前記容器に結合されるように構成されている、本発明1073の駆動装置。
[本発明1075]
前記ハンドルが、前記容器に螺着可能に結合されるように構成されている、本発明1074の駆動装置。
[本発明1076]
容器が前記ハンドルに結合されているとき、容器から第一の導管へとガスを放出するように構成された容器弁
をさらに含む、本発明1073の駆動装置。
[本発明1077]
前記トリガが、前記第一の導管から第二の導管の中へとガスを放出するために用いられるように構成された、トリガ弁を含む、本発明1076の駆動装置。
[本発明1078]
前記トリガが用いられたとき、前記第一の導管と前記第二の導管とが、前記モータアセンブリと流体連通する、本発明1077の駆動装置。
[本発明1079]
前記ガスが、圧縮ガスである、本発明1061の駆動装置。
[本発明1080]
前記ガス圧が、1平方インチ当たり120〜160ポンドの間である、本発明1079の駆動装置。
[本発明1081]
前記ガス圧が、1平方インチ当たり80〜120ポンドの間である、本発明1079の駆動装置。
[本発明1082]
前記ガスが空気を含む、本発明1079の駆動装置。
[本発明1083]
前記ガスが窒素を含む、本発明1079の駆動装置。
[本発明1084]
前記ガスが不活性ガスを含む、本発明1079の駆動装置。
[本発明1085]
前記モータアセンブリがアルミニウムを含む、本発明1061の駆動装置。
[本発明1086]
前記モータアセンブリが鋼を含む、本発明1061の駆動装置。
[本発明1087]
前記モータアセンブリがステンレス鋼を含む、本発明1061の駆動装置。
[本発明1088]
前記回転子が、一分間に1〜5,000回転、回転するように構成されている、本発明1062の駆動装置。
[本発明1089]
前記回転子が、一分間に5,000〜25,000回転、回転するように構成されている、本発明1062の駆動装置。
[本発明1090]
前記回転子が、一分間に25,000〜50,000回転、回転するように構成されている、本発明1062の駆動装置。
[本発明1091]
前記駆動シャフトに結合されるように構成された骨内器具
をさらに含む、本発明1061の駆動装置。
[本発明1092]
前記骨内器具が：
標的領域を貫くように構成された少なくとも一つの切断面を含むカニューレ第一端と、カニューレ第二端と、前記カニューレ第一端と前記カニューレ第二端との間に延びるカニューレボアとを有するカニューレ
を含む、本発明1091の駆動装置。
[本発明1093]
前記カニューレ第一端が：
隣接する頂部との間に少なくとも一つの切断面を有する複数の頂部
を含み、前記頂部および前記切断面が前記標的領域を貫くように構成されている、本発明1092の駆動装置。
[本発明1094]
前記カニューレ第一端が：
複数の先端
を含み、各先端が少なくとも二つの実質的に平面状の切断面の交差部によって形成されている、本発明1092の駆動装置。
[本発明1095]
前記カニューレが：
前記カニューレ第二端に結合され、かつ前記駆動シャフトに結合されるように構成された第一のハブ
をさらに含む、本発明1094の駆動装置。
[本発明1096]
前記第一のハブが、前記駆動シャフトに螺着可能に結合されるように構成されている、本発明1095の駆動装置。
[本発明1097]
前記第一のハブが雄端部を含み、前記駆動シャフトが対応する雌端部を含む、本発明1095の駆動装置。
[本発明1098]
前記第一のハブが、前記第一のハブのネジ山を前記駆動シャフトのネジ山に係合させかつ前記第一のハブを前記駆動シャフトの回転方向に対応する第一の方向に回転させることによって、前記駆動シャフトに結合するように構成されている、本発明1095の駆動装置。
[本発明1099]
前記カニューレボア中に配置されるように構成されたスタイレット
をさらに含み、そのため前記スタイレットの第一端が前記カニューレ第一端と協働して、前記標的領域を貫くための先端を画定する、本発明1095の駆動装置。
[本発明1100]
前記スタイレットの前記第一端が：
少なくとも一つの先端；
前記少なくとも一つの先端から第一の長さだけ延びた、第一のテーパの付いた切断面；および
前記少なくとも一つの先端から第二の長さだけ延びた、第二のテーパの付いた切断面
を含み、前記第一のテーパの付いた切断面の前記第一の長さが、前記第二のテーパの付いた切断面の前記第二の長さ未満である、本発明1099の駆動装置。
[本発明1101]
前記スタイレットの第二端に結合され、かつ前記第一のハブに解放可能に結合されるようにさらに構成された第二のハブ
をさらに含む、本発明1099の駆動装置。
[本発明1102]
前記第二のハブが、前記第一のハブにルアーロック取付具によって結合されるように構成されている、本発明1101の駆動装置。
[本発明1103]
前記第一のハブおよび前記第二のハブの少なくとも一つに結合されるように構成された第一端と、前記駆動シャフトに結合されるように構成された第二端とを有するカプラ
をさらに含む、本発明1101のいずれかの駆動装置。
[本発明1104]
本発明1061〜1103のいずれかの駆動装置；および
前記駆動装置に結合されるように構成された骨内器具
を含むキット。
[本発明1105]
前記骨内器具がカニューレおよびスタイレットの少なくとも一つを含む、本発明1104のキット。
[本発明1106]
前記骨内器具に結合されるように構成された第一端と、前記駆動装置に結合されるように構成された第二端とを有するカプラ
をさらに含む、本発明1105のキット。
[本発明1107]
前記標的領域、前記カニューレ、および前記スタイレットの少なくとも一つが脱滅菌化されることを防ぐために、前記駆動装置を受けるように構成された収納袋
をさらに含む、本発明1105のキット。
[本発明1108]
少なくとも一つの鋭利物保護器
をさらに含み、切断面が露出することを防ぐために、前記カニューレおよび前記スタイレットの少なくとも一つが前記鋭利物保護器内に配置され得るように前記鋭利物保護器が構成されている、本発明1105のキット。
[本発明1109]
標的領域を貫くように構成された複数の先端を有する第一端であって、各先端が少なくとも二つの実質的に平面状の切断面の交差部によって形成されている、第一端；
駆動装置に結合されるように構成された第二端；および
前記第一端と前記第二端との間に延びるボア
を含む骨内器具であって、前記駆動装置が圧縮ガスを用いて骨内器具を回転させるように構成されている、骨内器具。
[本発明1110]
前記骨内器具および前記駆動装置に結合されるように構成された第一のハブ
をさらに含む、本発明1109の骨内器具。
[本発明1111]
前記第一のハブが：
前記骨内器具が前記標的領域を貫き得る深さを制限するように構成された深度制限器
を含む、本発明1110の骨内器具。
[本発明1112]
前記骨内器具の前記ボア中に配置されるように構成されたスタイレット
をさらに含み、そのため前記スタイレットの第一端が前記骨内器具の前記第一端と協働して前記標的領域を貫く、本発明1110の骨内器具。
[本発明1113]
前記スタイレットの前記第一端が：
少なくとも一つの先端；
前記少なくとも一つの先端から第一の長さだけ延びた、第一のテーパの付いた切断面；および
前記少なくとも一つの先端から第二の長さだけ延びた、第二のテーパの付いた切断面
を含み、前記第一のテーパの付いた切断面の前記第一の長さが、前記第二のテーパの付いた切断面の前記第二の長さ未満である、本発明1112の骨内器具。
[本発明1114]
前記スタイレットに結合され、かつ前記第一のハブに解放可能に結合されるように構成された第二のハブ
をさらに含む、本発明1112の骨内器具。
[本発明1115]
前記第二のハブが、前記第一のハブにルアーロック取付具によって結合されるように構成されている、本発明1114の骨内器具。
[本発明1116]
前記第一のハブおよび前記第二のハブの少なくとも一つに結合されるように構成された第一端と、前記駆動シャフトに結合されるように構成された第二端とを有するカプラ
をさらに含む、本発明1114のいずれかの骨内器具。
[本発明1117]
前記カプラが、前記骨内器具および前記スタイレットの少なくとも一つが前記標的領域を貫き得る深さを制限するように構成された深度制限器を含む、本発明1116の骨内器具。
[本発明1118]
本発明1109〜1117のいずれかの骨内器具；および
前記骨内器具に結合されかつ圧縮ガスを使用して前記骨内器具を回転させるように構成された駆動装置
を含むキット。
[本発明1119]
前記骨内器具の前記ボア中に配置されるように構成されたスタイレットをさらに含む、本発明1118のキット。
[本発明1120]
前記骨内器具および前記スタイレットの少なくとも一つに結合されるように構成された第一端と、前記駆動装置に結合されるように構成された第二端とを有するカプラ
をさらに含む、本発明1119のキット。
[本発明1121]
前記標的領域、前記骨内器具、および前記スタイレットの少なくとも一つが脱滅菌化されることを防ぐために、前記駆動装置を受けるように構成された収納袋
をさらに含む、本発明1120のキット。
[本発明1122]
少なくとも一つの鋭利物保護器
をさらに含み、切断面が露出することを防ぐために、前記骨内器具および前記スタイレットの少なくとも一つが前記鋭利物保護器内に配置され得るように前記鋭利物保護器が構成されている、本発明1121のキット。
上記の態様等に関連する詳細を以下に提示する。